(57)【要約】      （修正有）【課題】品質向上及び用途拡大並びに経費低減を図った蓋開閉機構を提供する。【解決手段】蓋側に設けられた第１軸８及び第２軸９は、本体側に設けられたガイド溝である第１円弧溝２０及び第２円弧溝２１に嵌合し、第１円弧溝２０と第２円弧溝２１に案内されて摺動を伴って回動する。蓋が本体側と蓋側との間に設けられた付勢手段５の付勢又は付勢抵抗を受けて、第１軸８を第１円弧溝２０の一端２０ａに位置し、第２軸９を第２円弧溝２１の他端２１ｂに位置した閉状態から、第１軸８が第２軸９を支点として第１円弧溝２０の他端側へほぼ摺動した後、第２軸９が第１軸８を支点として第２円弧溝２１の一端側へ摺動して開状態に切換可能となり、閉状態で付勢保持される。【選択図】図５
2005116953.tif 000002
【特許請求の範囲】
【請求項１】
箱状本体側のガイド溝に蓋側の軸を摺動自在に嵌合しており、前記蓋を前記本体の対応部に対し閉状態と開状態とに前記軸の摺動を伴って回動切り換える蓋開閉機構において、
前記ガイド溝が前記本体側に設けられて間隔を保っている第１円弧溝及び第２円弧溝を有し、前記軸が前記蓋側に設けられて前記第１円弧溝に案内される第１軸及び前記第２円弧溝に案内される第２軸を有し、
前記蓋が前記本体側と蓋側との間に設けられた付勢手段の付勢又は付勢抵抗を受けることにより、前記第１軸を前記第１円弧溝の一端側に位置し、前記第２軸を前記第２円弧溝の他端側に位置した閉状態から、前記第１軸が前記第２軸を支点として前記第１円弧溝の他端側へほぼ摺動した後、前記第２軸が前記第１軸を支点として前記第２円弧溝の一端側へ摺動して開状態に切換可能となると共に、前記閉状態で付勢保持されることを特徴とする蓋開閉機構。
【請求項２】
箱状本体側に設けられたガイド溝と、蓋側に設けられて前記ガイド溝に摺動自在に嵌合する軸とを有し、前記蓋を前記本体の対応部に対し閉状態と開状態とに前記軸の摺動を伴って回動切り換える蓋開閉装置において、
前記本体側に設けられて前記ガイド溝として間隔を保っている第１円弧溝及び第２円弧溝を有した立壁と、
前記蓋側に設けられて前記軸として前記第１円弧溝に案内される第１軸及び前記第２円弧溝に案内される第２軸を有したアームと、
前記立壁側と前記アーム側との間に設けられて、前記蓋が前記第１軸を前記第１円弧溝の一端側に位置し、前記第２軸を前記第２円弧溝の他端側に位置した閉状態から、前記第１軸が前記第２軸を支点として前記第１円弧溝の他端側へほぼ摺動した後、前記第２軸が前記第１軸を支点として前記第２円弧溝の一端側へ摺動して開状態に切り換えられるようにすると共に、前記蓋を前記閉状態で付勢保持する付勢手段とを備えていることを特徴とする蓋開閉装置。
【請求項３】
前記アームが前記立壁に対し前記付勢手段と共に組み付けられると共に、前記フレームとアームとの間に設けられて前記蓋の回動切換速度を制動する制動手段を有している請求項２に記載の蓋開閉装置。
【請求項４】
前記制動手段は、前記アームに取り付けられて回転ギアを有するダンパーと、前記立壁の異なる箇所に設けられて前記蓋が閉状態から開状態に切り換えられる過程で前記回転ギアが一方から他方というように切換式に噛み合う複数の歯部とからなっている請求項２又は３に記載の蓋開閉装置。
【請求項５】
前記本体が前底壁側に前記アームを逃がす逃げ溝を形成していると共に、前記立壁に枢支されて前記蓋が閉状態から開状態に切り換えられたときに起立して前記逃げ溝を前方より目視不能にするカバー部材を有している請求項２から４の何れかに記載の蓋開閉装置。
【発明の詳細な説明】
【技術分野】
【０００１】
本発明は、箱状本体の対応部に対し蓋を回動して開閉する蓋開閉機構及びその装置に関するものである。
【背景技術】
【０００２】
回動式の蓋開閉機構は、通常、蓋を箱状本体の対応部に対し軸で枢支して閉と開状態とに回動切り換える。この場合、単一軸構成だと、蓋の回動軌跡が一義的に決まったり、蓋が回動過程で干渉しないよう本体との間に設定される隙間が比較的大きくなる。図１２はそのような問題を二軸構成により緩和した従来例である。
【０００３】
図１２（ａ）は蓋の閉状態を示し、同（ｂ）は開状態を示している。符号６０は箱状本体、符号６１は本体６０の操作面６０ａを開閉する蓋である。この蓋開閉装置は、本体６０側にそれぞれ設けられている円弧状軸受面６２ａ付きの第１軸受部６２及び該軸受面６２ａと同心になった円弧状ガイド溝（孔）６３と、蓋６１側に設けられている第１軸６４及び前記ガイド溝６３に摺動自在に嵌合している第２軸６５と、本体６０と蓋６１との間に設けられて蓋６１を開方向へ付勢しているバネ６６と、本体６０に設けられて蓋６１側の係合突起６７と係脱するロック手段（ラッチ装置）６８とを有している。そして、蓋６１は、閉状態が第１軸６４を第１軸受部６２の軸受面６２ａに当接していると共にロック手段６８で保持されており、係止解除されると、バネ６６の付勢により開方向へ回動切り換えられる。この場合、開作動初期において、第１軸６４が回転軸として作用すると共に、第２軸６５がガイド溝６３の一方端（下端）から他端（上端）へ向かって摺動する。第２軸６５は、ガイド溝６３の他端に達した後、以降の開作動における蓋６１の回転軸として作用する。以上の蓋開閉装置では、蓋６１が第１軸６４を支点として回動される際の軌跡（ガイド溝６３に対応する軌跡）と、ガイド溝６３の他端（上端）に当接した第２軸を支点として回動される際の軌跡とに沿って動くため、蓋回動軌跡が単一軸構成より任意に設定可能となり、又、蓋６１と本体６０との間の隙間Ｓを小さくできる利点がある。
【０００４】
【特許文献１】特開平６−５３６７１号公報
【発明の開示】
【発明が解決しようとする課題】
【０００５】
上記したように、従来の蓋開閉装置では、蓋６１を開方向へ付勢するバネ６６等の付勢手段と、該付勢手段の付勢に抗して蓋を係止するロック手段６８とが設けられる。付勢手段は、蓋６１を閉から開状態へ付勢力で自動又は半自動にて回動切り換えるようにして操作性を良好にする作用と、開状態で付勢力により蓋６１のがたつきを防ぐ作用とを兼ねる。ロック手段６８は蓋６１を閉状態で付勢手段の付勢力に抗して保持する。このような装置では次のような観点から未だ問題を有している。
（ア）、従来装置では、付勢手段が蓋を開方向へ専ら付勢しているため、閉状態で蓋を付勢力に抗して保持するためのロック手段が必須となる。このロック手段は、蓋の裏面又は背面に設けられている係合突起を本体側のロック機構に係脱するため、経費増の要因になるだけではなく、蓋の開状態で構成部材が露出し見栄えを損ねたり本体機器側の操作性を損ねる要因となる。
（イ）、従来装置では、蓋が付勢手段の付勢力により閉から開状態へ回動切り換えられるため便利となる反面、開から閉状態への切換時には付勢力に比例した操作力にて蓋を回動操作しなければならない。この場合、付勢手段は、付勢力が弱め目に設定されると、蓋の閉じ操作を小さな力で行うことが可能となるが、蓋を開方向へ自動的に回動できなくなる。逆に、付勢力が大き目に設定されると、蓋を開方向へ自動的に回動できるが、蓋の閉操作に苦労する。換言すると、従来の付勢手段は、蓋を一方向へ付勢するため、前記した問題に加え、蓋の開閉操作性が画一化され、更なる操作性の向上や高品質化が図りに難かった。
（ウ）、蓋の開閉動作を良好にする上では、従来装置でも制動用ダンパーが用いられている。しかし、上記した二軸構成により蓋の回動軌跡を複雑にする場合は、ダンパーを採用しても、蓋が開閉される全ての過程で制動力を作用させることは不可能か複雑となる。
本発明の目的は、以上のような課題を比較的簡易に解消することにより、品質向上及び用途拡大並びに経費低減を実現することにある。
【課題を解決するための手段】
【０００６】
請求項１の発明は、箱状本体側のガイド溝に蓋側の軸を摺動自在に嵌合しており、前記蓋を前記本体の対応部に対し閉状態と開状態とに前記軸の摺動を伴って回動切り換える蓋開閉機構において、前記ガイド溝が前記本体側に設けられて間隔を保っている第１円弧溝及び第２円弧溝を有し、前記軸が前記蓋側に設けられて前記第１円弧溝に案内される第１軸及び前記第２円弧溝に案内される第２軸を有し、前記蓋が前記本体側と蓋側との間に設けられた付勢手段の付勢又は付勢抵抗を受けることにより、前記第１軸を前記第１円弧溝の一端側に位置し、前記第２軸を前記第２円弧溝の他端側に位置した閉状態から、前記第１軸が前記第２軸を支点として前記第１円弧溝の他端側へほぼ摺動した後、前記第２軸が前記第１軸を支点として前記第２円弧溝の一端側へ摺動して開状態に切換可能となると共に、前記閉状態で付勢保持されることを特徴としている。
請求項２の発明は、以上の蓋開閉機構を装置構造から捉えたものであり、箱状本体側に設けられたガイド溝と、蓋側に設けられて前記ガイド溝に摺動自在に嵌合する軸とを有し、前記蓋を前記本体の対応部に対し閉状態と開状態とに前記軸の摺動を伴って回動切り換える蓋開閉装置において、前記本体側に設けられて前記ガイド溝として間隔を保っている第１円弧溝及び第２円弧溝を有した立壁と、前記蓋側に設けられて前記軸として前記第１円弧溝に案内される第１軸及び前記第２円弧溝に案内される第２軸を有したアームと、前記立壁側と前記アーム側との間に設けられて、前記蓋が前記第１軸を前記第１円弧溝の一端側に位置し、前記第２軸を前記第２円弧溝の他端側に位置した閉状態から、前記第１軸が前記第２軸を支点として前記第１円弧溝の他端側へほぼ摺動した後、前記第２軸が前記第１軸を支点として前記第２円弧溝の一端側へ摺動して開状態に切り換えられるようにすると共に、前記蓋を前記閉状態で付勢保持する付勢手段とを備えていることを特徴としている。
なお、各発明において、本体は機器や装置のハウジングやケース等を意味している。蓋は扉やカバー等と同じ意味である。各軸は、本体側の対応する第１円弧溝及び第２円弧溝と摺動自在に嵌合する凸部やピン等を含む意味で使用している。
【０００７】
以上の蓋開閉機構及び装置は、図１２の二軸構成と比較すると、ガイド溝が独立した２つの円弧溝により構成されている点、蓋が閉から開状態に切り換えられたり開から閉状態に切り換えられる場合、第１軸及び第２軸のうち、一方が他方を支点として摺動する動きと、他方が一方を支点として摺動する動きを伴う点、付勢手段が蓋を開状態でがたつきを生じないよう保持することに加え、閉状態においても付勢保持する点などで相違している。そして、蓋は、第１円弧溝及び第２円弧溝の軌跡に応じ閉状態と開状態とに回動切り換えられ、各切換初期において付勢手段の付勢に抗して回動操作される。また、次のような構造を採用するとより好ましい形態となる。
・請求項３の構造は、前記アームが前記立壁に対し前記付勢手段と共に組み付けられると共に、前記フレームとアームとの間に設けられて前記蓋の回動切換速度を制動する制動手段を有している。この形態は、例えば、本体側の立壁が実施例のようにフレームなどとして構成されることでユニット品となり、付勢手段と共に制動手段を予め組み付けるようにして取扱性や本体への組付性などを改善できる。
・請求項４の構造は、前記制動手段は、前記アームに取り付けられて回転ギアを有するダンパーと、前記立壁の異なる箇所に設けられて前記蓋が閉状態から開状態に切り換えられる過程で前記回転ギアが一方から他方というように切換式に噛み合う複数の歯部とからなっている。この形態は、二軸構成において、蓋が簡易な複数箇所の歯部構成により開閉のほぼ全過程で制動力を得られるようにする。
・請求項５の構造は、前記本体が前底壁側に前記アームを逃がす逃げ溝を形成していると共に、前記立壁に枢支されて前記蓋が閉状態から開状態に切り換えられたときに起立して前記逃げ溝を前方より目視不能にするカバー部材を有している。この形態は、実施例のように蓋を本体の対応部底側に沿って後方へ大きく移動させて開状態にする場合、通常、本体側に蓋側のアームを逃がす逃げ溝が付設されるため見栄えが悪くなるが、その外観低下要因を簡単なカバー部材により逃げ溝を目視不能にする。
【発明の効果】
【０００８】
本発明の蓋開閉機構及び装置は次のような利点を具備できる。
・請求項１と２では、付勢手段により蓋を閉状態に保持するため、従来のように蓋を閉状態に保持するロック手段を廃止することが可能となる。これにより、該ロック手段に相当する経費を削減でき、組立性を簡略化したり外観特性も向上できる。また、蓋の開閉操作は、初期段階だけ付勢手段の付勢に抗して操作されるが、以降は付勢力で回動されるため操作性を維持できる。また、蓋の回動軌跡は、第１円弧溝及び第２円弧溝の軌跡を変更することで幅広い範囲で設定できる。
・請求項３と４では、制動手段により蓋開閉速度をほぼ定速にして高級感を付与できる。この場合、制動手段は従来でも採用されているが、その制動作用を、二軸構成においても、蓋開閉時のほぼ全過程で付与できる。
・請求項５では、蓋を本体の対応部底側へ大きく移動させて開状態にする場合にも、外観低下要因をカバー部材により防いで外観特性を維持できる。
【発明を実施するための最良の形態】
【０００９】
本発明の最良な形態を図面の実施例を参照しながら説明する。なお、図１は発明の蓋開閉装置（以下、装置と略称する）を採用した機器例を示し、同（ａ）は蓋の閉状態、同（ｂ）は蓋の開状態、同（ｃ）は開状態での模式外観図である。図２は図１の左側装置と本体との関係を示す構成図、図３は図１の右側装置と本体との関係を示す構成図である。図４〜図５は本発明装置の作動を図２の左側装置で示し、図６は図３の右側装置で示している。図７は装置の主部材同士の関係を左側装置の例で示した構成図である。図８及び図９は前記左側装置のフレーム（立壁）とアームの単品図、図１０及び図１１は前記右側装置のフレーム（立壁）とアームの単品図である。図８〜図１１において、各（ａ）は上面図、各（ｂ）は側面図、各（ｃ）は（ｂ）に示したＡ−Ａ線やＢ−Ｂ線等で断面した図である。以下の説明では、全体の概要を述べた後、実施例により要部を明らかにする。
【００１０】
（概要）図１の機器は、本体１０が前面１１に開口１１ａを有し、該開口１１ａから投光レンズを出没する液晶プロジェクタである。工夫点は、外観特性及び使い勝手などを改善する目的で、開口１１ａにキャップを着脱する構成に代えて、回動式の蓋１５を設け、該蓋１５を発明装置１により開口１１ａを含めて前面１１を開閉可能にしたものである。図１〜図３において、本体１０は、概略形状が前面１１と背面、両側面１２、上下面１３，１４により箱状に区画形成されている。前面１１には開口１１ａが設けられている。左側面１２には多数の孔からなる放熱部１２ａが設けられている。下面１４には、高調節用の複数の脚部材１４ａ、前底壁部分を開口した両側の逃げ溝１４ｂ、各逃げ溝１４ｂに対応して起立されている取付部１４ｃ〜１４ｅ等が設けられている。逃げ溝１４ｂ及び取付部１４ｃ〜１４ｅは両側に対に設けられている。各逃げ溝１４ｂは、前面１１の下側壁部分より下面１４の前底壁部分にわたって形成されている。両側の取付部１４ｃ〜１４ｅには左右の発明装置１が取り付けられる。蓋１５は、本体前面１１に対応した横に長い矩形板状をなしている。該蓋１５には、裏面又は背面側において、前記両側の逃げ溝１４ｂにほぼ対応して両下側に設けられた取付用突起１５ａと、片内面側に設けられた指掛け用の凹部１５ｂとを有している。
【００１１】
各装置１は、蓋１５が本体１０に対し２つの軸を対応するガイド溝に摺動自在に嵌合した状態で、蓋１５を本体１０の開口部や操作面或いは前面１１に対し閉状態と開状態（全開状態を意味している）とに回動切り換えるようにする。構造特徴は、前記ガイド溝として本体１０側のフレーム２に上下に間隔を保って設けられている第１円弧溝２０及び第２円弧溝２１を有している点、前記軸として蓋１５側のアーム３に設けられて第１円弧溝２０に嵌合している第１軸８及び第２円弧溝２１に嵌合している第２軸９を有している点、蓋１５がフレーム２とアーム１５との間に設けられたばね部材５の付勢又は付勢抵抗を受けることにより、第１軸８を第１円弧溝２０の一端側に位置し、第２軸９を第２円弧溝２１の他端側に位置した閉状態から、第１軸８が第２軸９を支点として第１円弧溝２０の他端側へほぼ摺動した後、第２軸９が第１軸８を支点として第２円弧溝２１の一端側へ摺動して開状態に切換可能にし、かつ蓋１５の閉状態で付勢保持される点などにある。なお、発明の装置１は、蓋開閉機構として捉えると、本体１０にフレーム２を立壁として一体的に形成したり、蓋１５にアーム３をアーム形状として一体的に形成することも可能である。
【実施例】
【００１２】
実施例の装置１は、主部材が本体１０側に固定されるフレーム２と、蓋１５に連結されるアーム３と、フレーム２に枢支されてアーム３の動きと連動して起立又は傾倒されるカバー部材４と、フレーム２とアーム３との間に設けられているばね部材５と、制動用ダンパー６からなり、これらがユニット化されている。材質はフレーム２、アーム３、カバー部材４が樹脂成形品であるが、これ以外でもよい。また、フレーム２及びアーム３は、図１（ｃ）の紙面左側に配置される左側の装置（図２、図４、図５、図７〜図９）１と、紙面右側に配置される右側の装置（図３、図６、図１０、図１１）１とが形状的に若干相違しているが、作動的には同じである。これは、例えば、左側装置１のフレーム２及びアーム３が本体側面１２の放熱部１２ａから空気の出入りを損なわないようにしたためである。以下の説明では左側の装置１を主にして述べる。
【００１３】
フレーム２は、図７及び図８に示されるように、概略平板状をなしており、メイン部に設けられている第１円弧溝２０及び第２円弧溝２１並びに円弧状の歯部２３ａ，２３ｂと、前側に設けられている取付片２４とカバー部材用の規制片２５及び取付軸２６と、後両側に設けられている取付片２７，２８と、取付片２８を突出している後側壁部に設けられているばね部材用の係止部２９等を有している。符号２２ａ〜２２ｃは、メイン部に設けられて左右に貫通している空気用通し孔である。該通し孔２２ａ〜２２ｃは、右側フレーム２の方では省略されて対応部が凹部として形成されている。逆に、右側フレーム２は、メイン部の上片側に突出された突起片２２ｄを有しているが、左側フレーム２の方ではその突起片２２ｄが省略されている。なお、取付片２７，２８は、取付孔や位置決め孔等を有し、上記したような本体下面１４側の取付部１４ｃ〜１４ｅに対応した箇所及び形状として形成されている。
【００１４】
ここで、第１円弧溝２０及び第２円弧溝２１は、互いに上下に位置しかつ前後方向へ延びており、溝後側を一端２０ａ，２１ａとし、溝前側を他端２０ｂ，２１ｂとすると（図８と図９を参照）、各溝の他端２０ｂ，２０ｂ同士が一端２０ａ，２１ａ同士の間の隙間より大きく離間されている。軌跡は、例えば、第１円弧溝２０の方が第２円弧溝２１の他端２１ｂを中心とした円弧であり、第２円弧溝２１の方が第１円弧溝２０の他端２０ｂを中心とした円弧である。
【００１５】
歯部２３ａ，２３ｂは、互いに上下に位置しかつ前側から前後中間に設けられている。歯部２３ａは、第１円弧溝２０を縁取りしているリブ略中間とメイン部前側との間に円弧状リブを設け、該リブに所定数の歯を連続して形成している。歯部２３ｂは、第２円弧溝２１を縁取りしているリブ略中間とメイン部前側との間に円弧状リブを設け、該リブに所定数の歯を連続して形成している。該歯部２３ａ，２３ｂは、右側フレーム２の方では歯部２３ｃ，２３ｄとして形成されている（図１０を参照）。すなわち、歯部２３ａ，２３ｂと歯部２３ｃ，２３ｄとは、左右フレーム２のほぼ同じ円弧リブ上に設けられているが、上側歯部２３ａ，２３ｃ同士の歯数と、下側歯部２３ｂ，２３ｄ同士の歯数が異なっている。この例では、上側歯部２３ａの歯数が対応する歯部２３ｃよりも多く、下側歯部２３ｂの歯数が対応する歯部２３ｄより少なくなっている。これは、後述するように、蓋１５が閉と開状態とに回動切り換えられる全ての過程で、アーム３側に付設されるダンパー６の回転ギヤ７が何れかの歯部２３ａ〜２３ｄの歯と噛み合うようにするためである。
【００１６】
以上のフレーム２には、前側の取付軸２６に対しカバー部材４が組み付けられる。カバー部材４は、図２及び図３と図４（ｂ）から推察されるように、板片状の支持部４０と、支持部４０の先端片側に設けられたカバー部４１と、カバー部４１に接近した支持部４０の先端片側に突出された小さなストッパー片４２と、支持部４０の基端片側に突出されたボス部４３とを一体に有している。以上のカバー部材４は、ボス部４３が前記取付軸２６に回動かつ抜け止め可能に嵌合されてフレーム２に組み付けられる。その際は、コイルばね７がボス部４３の外周に保持された状態で組み込まれる。つまり、コイルばね７は、中間部にばね巻き部を有し、該ばね巻き部をボス部４３に保持した状態で、一端がフレーム２側の縦リブに係止され、他端が支持部４０の対応部に掛け止めされる。
【００１７】
これに対し、アーム３は、図７と図９及び図１１に示されるように、概略平板状をなしており、フレーム２のメイン部に重ねられる板幅の大きな部分３０と、部分３０の前側に突出している連結部３１とで構成されている。部分３０には、略中央部に左右貫通している配置孔３３及び該配置孔３３から径方向へ切り欠いた２箇所の係止部３４と、第１円弧溝２０に嵌合される第１軸８を保持する上側のボス部３５と、第２円弧溝３５に嵌合される第２軸９を保持する下側のボス部３６と、上片側に突出されている係止部３７とが設けられている。各ボス部３５，３６は、筒内の奥側を径小取付孔３５ａ，３６ａとして形成している。符号３２ａ〜３２ｃは、部分３０に設けられて左右に貫通している空気用通し孔である。該通し孔３２ａ〜３２ｃは、右側アーム３の方では省略されて対応部が凹部として形成されている。連結部３３には、前端面から部分３０に向けて凹状となった挿入穴３３ａと、下面から挿入穴３３ａに貫通している取付孔３３ｂとが設けられている。
【００１８】
配置孔３３及び係止部３４にはダンパー６が装着される。該ダンパー６は、例えば、回転ギア７を有した公知の油圧式であり、回転ギア７が本体内の作動油の抵抗を受けて回転する構成である。この例では、ダンパー６が本体周囲に付設された２つの弾性係止片を有している。そして、ダンパー６は、アーム３に対し前記各弾性係止片を対応する係止部３４に合わせ、その状態から配置孔３３に押し込まれることにより装着される。装着状態では、ダンパー６の本体が配置孔３３内に位置し、回転ギア７がアーム３の対応片側面より外へ突出される。
【００１９】
以上のアーム３は、ダンパー６を装着した状態で、フレーム２に対し図７の態様となるよう配置されて、第１軸８及び第２軸９を介し組み付けられ、図２のばね部材５により連携される。第１軸８及び第２軸９は、鍔付き筒状となっていて、筒部が対応する第１円弧溝２０や第２円弧溝２１からフレーム側の対応するボス部３５，３６に係入される。すなわち、この操作では、アーム３がフレーム２の一方側より各ボス部３５，３６を対応する第１円弧溝２０や第２円弧溝２１上に重なるよう配置され、第１軸８及び第２軸９がフレーム２の他方側より第１円弧溝２０や第２円弧溝２１の溝内から対応するボス部３５又は３６内に係入操作され、かつ、各ねじ３８が第１軸８や第２軸９の筒内を通って径小取付孔３５ａ，３６ａに係止される。そして、実施例の装置１は、アーム３がフレーム２に組み付けられた後、ばね部材５がアーム３とフレーム２との間に張設されることによりユニット品となる。ばね部材５は、図２等のように、巻きばねであり、一端がフレーム側の係止部２９に掛け止めされ、他端がアーム側の係止部３７に掛け止めされる。
【００２０】
（機器への取付例）以上の装置１は、ユニット品として市販されたり取り扱われ、フレーム２が本体１０に取り付けられ、アーム３がに蓋１５に連結される。この場合、フレーム２は、取付片２４及び取付片２７，２８を本体下面１４の対応する取付部１４ｃ〜１４ｅに位置決め配置しねじ１８等により複数箇所で固定される（図２及び図３を参照）。アーム３は、連結部３１の挿入穴３３ａに蓋側突起１５ａを係合した後、取付孔３３ｂから挿入されるねじ１９等により蓋１５に連結される。勿論、この取付構造は、これ以外でもよく、機器の本体１０や蓋１５の形状等に応じて適宜に設計される。
【００２１】
（作動）次に、以上の装置１又は蓋開閉機構における作動を図１及び図４〜図６により明らかにする。なお、図４〜図６では、制動手段であるフレーム側の歯部２３ａ〜２３ｄとダンパー６との関係を分かり易くするため、ダンパー６及び回転ギア７を想像線で示している。また、図５では作図スペースの制約から蓋を省略している。
【００２２】
(1)、図４（ａ）は蓋１５の閉状態である。この閉状態では、アーム３が下側部分を本体１０の逃げ溝１４ｂ内に位置しており、第１軸８が第１円弧溝２０の一端２０ａに位置し、第２軸９が第２円弧溝２１の他端２１ｂに位置している。また、蓋１５は、ばね部材５の付勢により本体１５の前面１１を覆った状態で保持されている。これに対し、図４（ｂ）は蓋１５の開（全開）状態である。この開状態では、アーム３が下側部分を逃げ溝１４ｂに大きく入り込んでおり、第１軸８が第１円弧溝２０の他端２０ｂに位置し、第２軸９が第２円弧溝２１の一端２１ａに位置している。また、蓋１５は、ばね部材５の付勢により本体１５の下側に移動されて前方突出部分を小さくした状態で保持されている。従って、この装置１又は蓋開閉機構では、蓋１５の開閉作動時に作用する付勢手段を採用しながら、従来のロック手段を廃止して経費を低減したり外観特性を良好に維持できる。
【００２３】
(2)、図５（ａ）と（ｂ）は蓋１５が閉状態から開方向へそれぞれ所定角だけ回動された開閉途中の態様である。図５（ａ）は、蓋１５が閉状態からばね部材５の付勢に抗し開方向へ回動操作され、第１軸８が第２軸９を支点として第１円弧溝２０の一端２０ａから他端２０ｂ側へ摺動したときの態様である。この態様ではばね部材５が最大まで延ばされて付勢力を増大している。そして、蓋１５は、この態様から、付勢力をばねチャージしたばね部材５により図５（ｂ）から図４（ｂ）の閉状態まで自動的に回動される。すなわち、操作者は図５（ａ）の態様で蓋１５（の縁や凹部１５ｂ等）から手を離す。すると、蓋１５は、第２軸９が他端２０ｂに移動した第１軸８を支点として第２円弧溝２１の他端２１ｂから一端２１ａ側へ摺動し、更に図４（ｂ）の態様に達して開状態に回動切り換えられる。なお、蓋１５は、以上の逆の作動により開から閉状態に切り換えられる。つまり、操作者は、蓋１５を閉状態から図５（ａ）の開閉途中までばね部材５の付勢に抗して回動操作して蓋１５から手を離す。すると、蓋１５はばね部材５の付勢により閉状態まで切り換えられる。このように、この装置１又は蓋開閉機構では、蓋１５を閉から開状態、開から閉状態に切り換える初期段階だけばね部材５の付勢に抗して操作し、途中からはばね部材５によりそれぞれ自動的に回動切り換えるため、切換操作性が従来装置に比べて同等かそれ以上良好にできる。
【００２４】
(3)、この装置１では、蓋１５が以上のようにして閉と開との間で回動切り換えられる全過程で、アーム側のダンパー６の回転ギア７がフレーム側の複数箇所に設けられている歯部２３ａ〜２３ｄの何れかと噛み合うことにより常に制動される。これは次のような構成により実現されている。第１の構成は、例えば、図４（ａ）の蓋閉状態で回転ギア７が下側の歯部２３ｂ（２３ｄ）と噛み合い、次に図５（ａ）及び（ｂ）の蓋開閉途中、更に図４（ｂ）の蓋開状態で回転ギア７が上側の歯部２３ａ（２３ｃ）と噛み合いというように、回転ギア７が上側の歯部２３ａ（２３ｃ）と下側の歯部２３ｂ（２３ｄ）とに切換式に噛み合うようにしたことである。第２の構成は、左フレーム２側の上下の歯部２３ａ，２３ｂと、右フレーム側の上下の歯部２３ｃ，２３ｄの歯数を変えることにより、例えば、左フレーム２側のダンパー６の回転ギア７が図４（ａ）の下側歯部２３ｂから図５（ａ）の上側の歯部２３ａに噛み合いを切り換えとき空転するが、該空転時には右フレーム２側のダンパー６の回転ギア７が上下の歯部２３ｃ，２３ｄの何れか一方との噛み合いを維持するようにしたことである。従って、この装置１又は蓋開閉機構では、二軸構成を採用して蓋１５の回転軌跡を複雑にする場合でも、全回動過程において制動力を付与し、それにより高品質化が図られる。
【００２５】
(4)、この装置１では、図４（ｂ）や図５のように、カバー部材４が蓋１５を閉から開状態に切り換えられるときに自動的に回動してカバー部４１が本体１の逃げ溝１４ｂの前側に起立される。すなわち、カバー部材４は、アーム３の蓋開方向への回動に伴って、コイルばね１７の付勢により取付軸２６を支点として下向きに回動され、ストッパー片４２が規制片２５に当接することで使用態様つまり起立状態に保持される。また、カバー部材４は、アーム３の蓋閉方向への回動に伴って、コイルばね１７の付勢に抗しカバー部４１がアーム３で押し上げられつつ上向きに回動され、逃げ溝１４ｂから傾きを増しながら本体１０内に収容される。従って、この装置１では、アーム３の回動軌跡を本体１０の前面側から下面後方へ移動する上で逃げ溝１４ｂを付設しても、蓋１５の開状態で該逃げ溝１４ｂの前側がカバー部材４のカバー部４１で遮蔽されるため、外観特性を維持できる。
【００２６】
以上のように、本発明は、従来の二軸構成に比べ構成部材の簡略化を実現し、蓋１５の回動切換特性を良好にでき、各種機器や装置に広く適用可能なことから用途拡大が期待できる。
【図面の簡単な説明】
【００２７】
【図１】発明の蓋開閉装置を採用した機器例を示す模式説明図である。
【図２】図１の左側発明装置と機器側本体との関係を示す構成図である。
【図３】図１の右側発明装置と機器側本体との関係を示す構成図である。
【図４】上記装置の作動を左側装置で示す閉と開状態の図である。
【図５】図４の蓋が閉から開に切り換えられる過程での装置作動を示す図である。
【図６】上記装置の作動を右側装置で図５（ｂ）に対応して示す図である。
【図７】上記装置のフレームとアームの関係を左側装置で示す構成図である。
【図８】上記装置として左側装置のフレームを示す構成図である。
【図９】上記装置として左側装置のアームを示す構成図である。
【図１０】上記装置として右側装置のフレームを示す構成図である。
【図１１】上記装置として右側装置のアームを示す構成図である。
【図１２】蓋開閉装置の従来例を示す説明図である。
【符号の説明】
【００２８】
１…蓋開閉装置
２…フレーム（立壁、２０は第１円弧溝、２１は第２円弧溝）
３…アーム（３０は部分、３１は連結部、３３はダンパー用配置部）
４…カバー部材
５…ばね部材（付勢手段）
６…ダンパー（制動手段、７は回転ギア）
８…第１軸
９…第２軸
１０…本体（１１は前面、１４は下面、１４ａは逃げ溝）
１５…蓋
２３ａ〜２３ｄ…歯部（制動手段）
【図１】
2005116953.tif 000003
【図２】
2005116953.tif 000004
【図３】
2005116953.tif 000005
【図４】
2005116953.tif 000006
【図５】
2005116953.tif 000007
【図６】
2005116953.tif 000008
【図７】
2005116953.tif 000009
【図８】
2005116953.tif 000010
【図９】
2005116953.tif 000011
【図１０】
2005116953.tif 000012
【図１１】
2005116953.tif 000013
【図１２】
2005116953.tif 000014